(57)【特許請求の範囲】
【請求項１】
主情報信号と少なくとも記録媒体の種別を示す媒体種別情報とが記録された記録媒体から、前記主情報信号と前記媒体種別情報とを読み出す情報信号読み出し装置と、前記情報信号読み出し装置から前記主情報信号と前記媒体種別情報の供給を受ける情報信号処理装置とからなり、
前記情報信号読み出し装置は、
前記記録媒体に記録されている前記媒体種別情報を読み出す読み出し手段と、
前記読み出し手段により読み出された前記媒体種別情報を暗号化する暗号化手段と、
前記暗号化手段により暗号化した前記媒体種別情報と、暗号化しない前記媒体種別情報とを前記情報信号処理装置に供給する手段と
を備え、
前記情報信号処理装置は、
前記情報信号読み出し装置からの暗号化された前記媒体種別情報の暗号解読を行う暗号解読手段と、
前記情報読み出し装置から暗号化されずに供給された前記媒体種別情報と、前記暗号解読手段により暗号解読された媒体種別情報とに基づいて、前記記録媒体の種別を検出する記録媒体種別検出手段と、
前記記録媒体種別検出手段において検出された前記記録媒体の種別に基づいて、前記主情報信号に応じた再生信号の出力を制御する制御手段とを備え、
前記記録媒体種別検出手段は、前記暗号化されずに供給された媒体種別情報と前記暗号解読された媒体種別情報が一致しない場合、前記制御手段に再生禁止情報を供給することを特徴とする情報信号再生システム。
【請求項２】
前記主情報信号には、複製を制御するための付加情報が付加されており、
前記主情報信号に付加されている前記付加情報を検出する付加情報検出手段を備え、
前記暗号化されていない媒体種別情報と前記暗号解読された媒体種別情報が一致している場合には、前記制御手段は、前記記録媒体種別検出手段で検出された前記記録媒体の種別と、前記付加情報検出手段で検出された前記付加情報とに基づいて、前記主情報信号に応じた再生信号の出力を制御することを特徴とする請求項１に記載の情報信号再生システム。
【請求項３】
主情報信号と少なくとも記録媒体の種別を示す媒体種別情報とが記録された記録媒体から、前記主情報信号と前記媒体種別情報とを読み出す情報信号読み出し装置と、前記情報信号読み出し装置から前記主情報信号と前記媒体種別情報の供給を受ける情報信号処理装置とからなり、
前記情報信号読み出し装置は、
前記記録媒体に記録されている前記媒体種別情報を読み出す読み出し手段と、
前記読み出し手段により読み出された前記媒体種別情報を暗号化する暗号化手段と、
前記暗号化手段により暗号化した前記媒体種別情報と、暗号化しない前記媒体種別情報とを前記情報信号処理装置に供給する手段と、
前記情報信号処理装置からの読み出し制御情報に基づいて、前記記録媒体からの主情報信号の読み出し処理を制御する読み出し制御手段と
を備え、
前記情報信号処理装置は、
前記情報信号読み出し装置からの暗号化された前記媒体種別情報の暗号解読を行う暗号解読手段と、
前記情報読み出し装置から暗号化されずに供給された前記媒体種別情報と、前記暗号解読手段により暗号解読された媒体種別情報とに基づいて、前記記録媒体の種別を検出する記録媒体種別検出手段と、
前記記録媒体種別検出手段において検出された前記記録媒体の種別に基づいて、前記読み出し制御情報を生成して、前記情報信号読み出し装置に供給する読み出し制御情報生成手段と
を備え、
前記記録媒体種別検出手段は、前記暗号化されずに供給された媒体種別情報と前記暗号解読された媒体種別情報が一致しない場合、前記読み出し制御情報生成手段に再生禁止情報を供給することを特徴とする情報信号再生システム。
【請求項４】
前記主情報信号には、複製を制御するための付加情報が付加されており、
前記主情報信号に付加されている前記付加情報を検出する付加情報検出手段を備え、
前記暗号化されていない媒体種別情報と前記暗号解読された媒体種別情報が一致している場合には、前記制御情報生成手段は、前記記録媒体種別検出手段で検出された前記記録媒体の種別と、前記付加情報検出手段で検出された前記付加情報とに基づいて、前記制御情報を生成することを特徴とする請求項３に記載の情報信号再生システム。
【請求項５】
主情報信号と少なくとも記録媒体の種別を示す媒体種別情報とが記録された記録媒体から、前記主情報信号と前記媒体種別情報とを読み出し、前記主情報信号と、前記媒体種別情報と、暗号化した前記媒体種別情報とを情報信号処理装置に供給することにより、当該情報信号処理装置において、暗号化されずに供給された媒体種別情報と、暗号化されて供給され暗号解読された媒体種別情報とが一致しない場合に、前記主情報信号の再生を禁止させることができるようにするための情報信号読み出し装置であって、
前記記録媒体に記録されている前記媒体種別情報を読み出す読み出し手段と、
前記読み出し手段により読み出された前記媒体種別情報を暗号化する暗号化手段と、
前記暗号化手段により暗号化した前記媒体種別情報と、暗号化しない前記媒体種別情報とを前記情報信号処理装置に供給する手段と
を備ることを特徴とする情報信号読み出し装置。
【請求項６】
主情報信号と少なくとも記録媒体の種別を示す媒体種別情報とが記録された記録媒体から、前記主情報信号と前記媒体種別情報とを読み出し、前記主情報信号と、前記媒体種別情報と、暗号化した前記媒体種別情報とを情報信号処理装置に供給することにより、当該情報信号処理装置において、暗号化されずに供給された媒体種別情報と、暗号化されて供給され暗号解読された媒体種別情報とが一致しない場合に生成される前記主情報信号の読み出しを禁止するための読み出し制御情報の供給を受ける情報信号読み出し装置であって、
前記記録媒体に記録されている前記媒体種別情報を読み出す読み出し手段と、
前記読み出し手段により読み出された前記媒体種別情報を暗号化する暗号化手段と、
前記暗号化手段により暗号化した前記媒体種別情報と、暗号化しない前記媒体種別情報とを前記情報信号処理装置に供給する手段と、
前記情報信号処理装置からの読み出し制御情報に基づいて、前記記録媒体からの主情報信号の読み出し処理を制御する読み出し制御手段と
を備えることを特徴とする情報信号読み出し装置。
【請求項７】
主情報信号と、暗号化されている媒体種別情報と、暗号化されていない媒体種別情報との供給を受ける情報信号処理装置であって、
前記暗号化されている媒体種別情報の暗号解読を行う暗号解読手段と、
前記暗号化されていない媒体種別情報と、前記暗号解読手段により暗号解読された媒体種別情報とに基づいて、前記記録媒体の種別を検出する記録媒体種別検出手段と、
前記記録媒体種別検出手段において検出された前記記録媒体の種別に基づいて、前記主情報信号に応じた再生信号の出力を制御する制御手段とを備え、
前記記録媒体種別検出手段は、前記暗号化されていない媒体種別情報と前記暗号解読された媒体種別情報が一致しない場合、前記制御手段に再生禁止情報を供給することを特徴とする情報信号処理装置。
【請求項８】
前記主情報信号には、複製を制御するための付加情報が付加されており、
前記主情報信号に付加されている前記付加情報を検出する付加情報検出手段を備え、
前記暗号化されていない媒体種別情報と前記暗号解読された媒体種別情報が一致している場合には、前記制御手段は、前記記録媒体種別検出手段で検出された前記記録媒体の種別と、前記付加情報検出手段で検出された前記付加情報とに基づいて、前記主情報信号に応じた再生信号の出力を制御することを特徴とする請求項７に記載の情報信号処理装置。
【請求項９】
主情報信号と、暗号化されている媒体種別情報と、暗号化されていない媒体種別情報との供給を受ける情報信号処理装置であって、
前記暗号化されている媒体種別情報の暗号解読を行う暗号解読手段と、
前記暗号化されていない媒体種別情報と、前記暗号解読手段により暗号解読された媒体種別情報とに基づいて、前記記録媒体の種別を検出する記録媒体種別検出手段と、
前記記録媒体種別検出手段において検出された前記記録媒体の種別に基づいて、前記主情報信号の供給を制御するための制御情報を生成し、前記主情報信号の供給元に供給するようにする制御情報生成手段とを備え、
前記記録媒体種別検出手段は、前記暗号化されずに供給された媒体種別情報と前記暗号解読された媒体種別情報が一致しない場合、前記読み出し制御情報生成手段に再生禁止情報を供給することを特徴とする情報信号処理装置。
【請求項１０】
前記主情報信号には、複製を制御するための付加情報が付加されており、
前記主情報信号に付加されている前記付加情報を検出する付加情報検出手段を備え、
前記暗号化されていない媒体種別情報と前記暗号解読された媒体種別情報が一致している場合には、前記制御情報生成手段は、前記記録媒体種別検出手段で検出された前記記録媒体の種別と、前記付加情報検出手段で検出された前記付加情報とに基づいて、前記制御情報を生成することを特徴とする請求項９に記載の情報信号処理装置。
【請求項１１】
主情報信号と少なくとも記録媒体の種別を示す媒体種別情報とが記録された記録媒体から、情報信号読み出し装置により前記主情報信号と前記媒体種別情報とを読み出し、情報信号処理装置に供給するようにする情報信号再生方法であって、
前記情報信号読み出し装置は、
暗号化した前記媒体種別情報と、暗号化しない前記媒体種別情報とを前記情報信号処理装置に供給する供給工程を有し、
前記情報信号処理装置は、
前記情報信号読み出し装置からの暗号化された前記媒体種別情報を暗号解読する暗号解読工程と、
前記情報読み出し装置から暗号化されずに供給された前記媒体種別情報と、前記暗号解読工程において暗号解読された前記媒体種別情報とに基づいて、前記記録媒体の種別を検出する記録媒体種別検出工程と、
前記記録媒体種別検出工程において検出した前記記録媒体の種別に基づいて、前記主情報信号に応じた再生信号の出力を制御する制御工程とを有し、
前記記録媒体種別検出工程においては、前記暗号化されずに供給された媒体種別情報と前記暗号解読された媒体種別情報が一致しない場合、前記制御工程において用いられる前記記録媒体の種別として再生禁止情報を出力することを特徴とすることを特徴とする情報信号再生方法。
【請求項１２】
前記主情報信号には、複製を制御するための付加情報が付加されており、
前記主情報信号に付加されている前記付加情報を検出する付加情報検出工程を有し、
前記暗号化されていない媒体種別情報と前記暗号解読された媒体種別情報が一致している場合には、前記制御工程においては、前記記録媒体種別検出工程において検出した前記記録媒体の種別と、前記付加情報検出工程において検出した前記付加情報とに基づいて、前記主情報信号に応じた再生信号の出力を制御することを特徴とする請求項１１に記載の情報信号再生方法。
【請求項１３】
主情報信号と少なくとも記録媒体の種別を示す媒体種別情報とが記録された記録媒体から情報信号書見出し装置により前記主情報信号と前記媒体種別情報とを読み出し、情報信号処理装置に供給するようにする情報信号再生方法であって、
前記情報信号読み出し装置は、
暗号化した前記媒体種別情報と、暗号化しない前記媒体種別情報とを前記情報信号処理装置に供給する供給工程と、
前記情報信号処理装置からの読み出し制御情報に基づいて、前記記録媒体からの主情報信号の読み出し処理を制御する読み出し制御工程とを有し、
前記情報信号処理装置は、
前記情報信号読み出し装置からの暗号化された前記媒体種別情報の暗号解読を行う暗号解読手段と、
前記情報読み出し装置から暗号化されずに供給された前記媒体種別情報と、前記暗号解読工程において暗号解読した媒体種別情報とに基づいて、前記記録媒体の種別を検出する記録媒体種別検出工程と、
前記記録媒体種別検出工程において検出した前記記録媒体の種別に基づいて、前記読み出し制御情報を生成して、前記情報信号読み出し装置に供給する読み出し制御情報生成工程とを有し、
前記記録媒体種別検出工程においては、前記暗号化されずに供給された媒体種別情報と前記暗号解読された媒体種別情報が一致しない場合、前記制御工程において用いられる前記記録媒体の種別として再生禁止情報を出力することを特徴とする情報信号再生方法。
【請求項１４】
前記主情報信号には、複製を制御するための付加情報が付加されており、
前記主情報信号に付加されている前記付加情報を検出する付加情報検出工程を有し、
前記暗号化されていない媒体種別情報と前記暗号解読された媒体種別情報が一致している場合には、前記制御情報生成工程においては、前記記録媒体種別検出工程において検出した前記記録媒体の種別と、前記付加情報検出工程において検出した前記付加情報とに基づいて、前記制御情報を生成することを特徴とする請求項１３に記載の情報信号再生方法。
【請求項１５】
主情報信号と少なくとも記録媒体の種別を示す媒体種別情報とが記録された記録媒体から、前記主情報信号と前記媒体種別情報とを読み出し、前記主情報信号と、前記媒体種別情報と、暗号化した前記媒体種別情報とを情報信号処理装置に供給することにより、当該情報信号処理装置において、暗号化されずに供給された媒体種別情報と、暗号化されて供給され暗号解読された媒体種別情報とが一致しない場合に、前記主情報信号の再生を禁止させることができるようにするための情報信号読み出し方法であって、
暗号化した前記媒体種別情報と、暗号化しない前記媒体種別情報とを前記情報信号処理装置に供給することを特徴とする情報信号読み出し方法。
【請求項１６】
主情報信号と少なくとも記録媒体の種別を示す媒体種別情報とが記録された記録媒体から、前記主情報信号と前記媒体種別情報とを読み出し、前記主情報信号と、前記媒体種別情報と、暗号化した前記媒体種別情報とを情報信号処理装置に供給することにより、当該情報信号処理装置において、暗号化されずに供給された媒体種別情報と、暗号化されて供給され暗号解読された媒体種別情報とが一致しない場合に生成される前記主情報信号の読み出しを禁止するための読み出し制御情報の供給を受けて前記主情報の読み出しを制御できるようにする情報信号読み出し方法であって、
暗号化した前記媒体種別情報と、暗号化しない前記媒体種別情報とを前記情報信号処理装置に供給し、
前記情報信号処理装置からの読み出し制御情報に基づいて、前記記録媒体からの前記主情報信号の読み出し処理を制御することを特徴とする情報信号読み出し方法。
【請求項１７】
前記情報信号処理装置から供給される前記読み出し制御情報は暗号化されたものであり、
暗号化された前記読み出し制御情報を暗号解読することを特徴とする請求項１６に記載の情報信号読み出し方法。
【請求項１８】
主情報信号と、暗号化されている媒体種別情報と、暗号化されていない媒体種別情報との供給を受けて、前記主情報信号に対して所定の処理を行うようにする情報信号処理方法であって、
前記暗号化されている媒体種別情報を暗号解読する暗号解読工程と、
前記暗号化されていない媒体種別情報と、前記暗号解読工程において暗号解読された媒体種別情報とに基づいて、前記記録媒体の種別を検出する記録媒体種別検出工程と、
前記記録媒体種別検出工程において検出した前記記録媒体の種別に基づいて、前記主情報信号に応じた再生信号の出力を制御する制御工程とを有し、
前記記録媒体種別検出工程においては、前記暗号化されていない媒体種別情報と前記暗号解読された媒体種別情報が一致しない場合、前記制御工程において用いられる前記記録媒体の種別として再生禁止情報を供給することを特徴とすることを特徴とする情報信号処理方法。
【請求項１９】
前記主情報信号には、複製を制御するための付加情報が付加されており、
前記主情報信号に付加されている前記付加情報を検出する付加情報検出工程を有し、
前記暗号化されていない媒体種別情報と前記暗号解読された媒体種別情報が一致している場合には、前記制御工程においては、前記記録媒体種別検出工程において検出した前記記録媒体の種別と、前記付加情報検出工程において検出した前記付加情報とに基づいて、再生信号の出力を制御することを特徴とする請求項１８に記載の情報信号処理方法。
【請求項２０】
前記付加情報は、電子透かし情報として前記主情報信号に重畳されているものであり、
前記主情報信号に重畳されている前記電子透かし情報を検出することを特徴とする請求項１９に記載の情報信号処理方法。
【請求項２１】
主情報信号と、暗号化されている媒体種別情報と、暗号化されていない媒体種別情報との供給を受けて、前記主情報信号に対して所定の処理を行うようにする情報信号処理方法であって、
前記暗号化されている暗号解読する暗号解読工程と、
前記暗号化されていない媒体種別情報と、前記暗号解読工程において暗号解読した媒体種別情報とに基づいて、前記記録媒体の種別を検出する記録媒体種別検出工程と、
前記記録媒体種別検出工程において検出した前記記録媒体の種別に基づいて、前記主情報信号の供給を制御するための制御情報を生成し前記主情報信号の供給元に供給するようにする制御情報生成工程と
を有し、
前記記録媒体種別検出工程においては、前記暗号化されていない媒体種別情報と前記暗号解読された媒体種別情報が一致しない場合、前記制御情報生成工程に再生禁止情報を供給することを特徴とする情報信号処理方法。
【請求項２２】
前記制御情報を暗号化して、前記主情報信号の供給元に供給することを特徴とする請求項２１に記載の情報信号処理方法。
【請求項２３】
前記著作権保護に関する情報に施されている暗号化処理と、前記制御情報に施される暗号化処理とは、異なるものであることを特徴とする請求項２２に記載の情報信号処理方法。
【請求項２４】
前記主情報信号には、複製を制御するための付加情報が付加されており、
前記主情報信号に付加されている前記付加情報を検出する付加情報検出工程を有し、
前記暗号化されていない媒体種別情報と前記暗号解読された媒体種別情報が一致している場合には、前記制御情報生成工程においては、前記記録媒体種別検出工程において検出した前記記録媒体の種別と、前記付加情報検出工程において検出した前記付加情報とに基づいて、前記制御情報を生成することを特徴とする請求項２１に記載の情報信号処理方法。
【請求項２５】
前記付加情報は、電子透かし情報として前記主情報信号に重畳されているものであり、
前記付加情報検出工程においては、前記主情報信号に重畳されている前記電子透かし情報を検出することを特徴とする請求項２４に記載の情報信号処理方法。
【発明の詳細な説明】
【０００１】
【発明の属する技術分野】
この発明は、例えばＤＶＤ（Ｄｉｇｉｔａｌ  Ｖｉｄｅｏ  Ｄｉｓｃ；デジタルビデオディスク）などの記録媒体に記録されて提供される情報信号や、例えばインターネットなどの伝送媒体を介して伝送される情報信号の著作権の保護、違法複製に対する防御を行うようにする情報信号再生システム、情報信号読み出し装置、情報信号処理装置、情報信号再生方法、情報信号読み出し方法、および、情報信号処理方法に関する。
【０００２】
【従来の技術】
近年、インターネット、デジタルビデオディスクなどのデジタルコンテンツの普及に伴い、このデジタルコンテンツについての違法な複製（コピー）による著作権侵害が問題となっている。そこで、この問題に対処するため、デジタルコンテンツに複製制御のための情報を付加し、この付加情報を用いて、違法な複製を防止することが考えられている。
【０００３】
この複製の防止のための制御としては、情報ソースに応じて、全く複製を認めない場合と、１回は複製を認めるが、１回複製されたものからの複製を禁止する場合（世代制限の複製制御方式）とが考えられている。前者は、例えばＤＶＤ−ＲＯＭのように、コンテンツメーカが作成して販売するオリジナルソフトの場合である。後者の世代制限の複製制御方式は、例えば放送メディアにおいて、放送される情報の場合などに適用される。
【０００４】
後者の世代制限の複製制御方式の場合には、有効に複製世代の制御ができる方式が望まれている。この複製世代の管理が行える複製制御情報の方式としては、ＣＧＭＳ（Ｃｏｐｙ  Ｇｅｎｅｒａｔｉｏｎ  Ｍａｎａｇｅｍｅｎｔ  Ｓｙｓｔｅｍ）方式や、電子透かし処理を用いる方法が提案されている。
【０００５】
電子透かし処理は、画像データや音楽データに存在する人間の知覚上の重要でない部分、すなわち、音楽や映像に対して冗長でない部分に、雑音として情報を埋め込む処理である。このような電子透かし処理により画像データや音楽データ中に埋め込まれた付加情報は、その画像データや音楽データから除去されにくい。一方、画像データや音楽データについてフィルタリング処理やデータ圧縮処理をした後であっても、それらに埋め込まれた電子透かしの付加情報を画像データや音楽データ中から検出することが可能である。
【０００６】
この電子透かし処理を用いる複製制御方式の場合、埋め込む付加情報により、
▲１▼「複製可能（Ｃｏｐｙ  Ｆｒｅｅ）」
▲２▼「１回複製可能（１世代だけ複製可能）（Ｏｎｅ  Ｃｏｐｙ）」
▲３▼「これ以上の複製禁止（Ｎｏ  Ｍｏｒｅ  Ｃｏｐｙ）」
▲４▼「絶対複製禁止（Ｎｅｖｅｒ  Ｃｏｐｙ）」
の４状態を表し、当該電子透かし情報が重畳された画像データや音楽データの複製世代や複製制限状態を表すようにしている。
【０００７】
▲１▼「複製可能（Ｃｏｐｙ  Ｆｒｅｅ）」は、音楽データや画像データの自由な複製が可能であることを表す。▲２▼「１回複製可能（１世代だけ複製可能）（Ｏｎｅ  Ｃｏｐｙ）」は、１回だけ音楽データや画像データの複製が可能であることを示す。▲３▼「これ以上の複製禁止（Ｎｏ  Ｍｏｒｅ  Ｃｏｐｙ）」は、▲２▼の１回複製可能の状態の音楽データや画像データから、当該音楽データや画像データが複製されたものであって、これ以上の複製は禁止であることを示す。▲４▼「絶対複製禁止（Ｎｅｖｅｒ  Ｃｏｐｙ）」は、複製は全く禁止であることを示す。
【０００８】
画像データや音楽データに重畳された電子透かし情報が、「１回複製可能（Ｏｎｅ  Ｃｏｐｙ）」であった場合には、電子透かし処理に対応（すなわち、複製制限処理対応）の記録装置では、その画像データや音楽データの複製記録が可能であると判断して記録を実行するが、記録された画像データや音楽データには、「これ以上の複製禁止（Ｎｏ  Ｍｏｒｅ  Ｃｏｐｙ）」に書き換えられた電子透かし情報が重畳される。そして、記録しようとする画像データや音楽データに重畳された電子透かし情報が、「これ以上の複製禁止（Ｎｏ  Ｍｏｒｅ  Ｃｏｐｙ）」の場合には、電子透かし処理対応の記録装置では、その画像データや音楽データの複製記録は禁止であるとして記録の実行が禁止される。
【０００９】
ＣＧＭＳ方式は、例えばアナログ画像信号であれば、その垂直ブランキング期間内の特定の１水平区間に複製制御用の２ビットの付加情報を重畳し、また、デジタル画像信号であれば、デジタル画像データに、複製制御用の２ビットの付加情報を付加して伝送する方式である。
【００１０】
このＣＧＭＳ方式の場合の２ビットの情報（以下、ＣＧＭＳ情報という）の意味内容は、
［００］……複製可能
［１０］……１回複製可能（１世代だけ複製可能）
［１１］……複製禁止（絶対複製禁止）
である。ＣＧＭＳ方式では、前述の「これ以上の複製禁止」の状態はない。
【００１１】
画像情報に付加されたＣＧＭＳ情報が［１０］であった場合に、ＣＧＭＳ対応の記録装置では、その画像情報の複製記録が可能であると判断して記録を実行するが、記録された画像信号には［１１］に書き換えられたＣＧＭＳ情報が付加される。そして、記録しようとする画像情報に付加されたＣＧＭＳ情報が［１１］の場合には、ＣＧＭＳ対応の記録装置では、その画像信号の複製記録は禁止であるとして記録の実行が禁止される。
【００１２】
【発明が解決しようとする課題】
ところで、例えば、複製制御情報としてのＣＧＭＳ情報や電子透かし情報による複製制御を行わない記録装置などが用いられることにより、絶対複製禁止（Ｎｅｖｅｒ  Ｃｏｐｙ）」、あるいは、「１回複製可能（１世代だけ複製可能）（Ｏｎｅ  Ｃｏｐｙ）」を示す複製制御情報が画像データや音楽データなどの主情報信号に付加されていても、何の制約を受けることもなく主情報信号の複製が可能となってしまう場合がある。
【００１３】
そこで、前述した電子透かし情報やＣＧＭＳ情報の他に、著作権保護に関する情報を画像データや音楽データなどの主情報信号が記録される記録媒体に記録させておくようにし、この著作権保護に関する情報により、違法な複製業者の追跡調査や違法な複製行為の立証などを容易にしたり、違法に複製された主情報信号を利用不能にしたりすることが考えられる。
【００１４】
この著作権保護に関する情報としては、例えば、著作権者名や著作権者コードなどの著作権者を特定するための情報や、主情報信号の記録媒体への記録年月日、記録装置を特定するための情報など、違法な複製行為の立証や追跡、摘発に役立てることができる様々な情報や、あるいは、主情報信号の利用可能期限情報、主情報信号の再生可能な装置の製造番号など主情報信号の利用を制限するための情報などである。
【００１５】
また、ディスク記録媒体の場合には、再生装置や記録装置において、読み出し専用のＲＯＭディスクか、書き換え可能なＲＡＭディスクかの判別を可能にするため、媒体種別情報が、ディスクのＴＯＣ（Ｔａｂｌｅ  Ｏｆ  Ｃｏｎｔｅｎｔｅｓ）やディレクトリなどに記録されている。この媒体種別情報をも著作権保護に関する情報として用いて、例えば前述した電子透かし情報を併用することにより、違法に複製された主情報信号を再生不能にすることができる。
【００１６】
これは、コンテンツメーカにより画像データなどの主情報信号が記録されて提供される情報の書き換え不能な読み出し専用のＲＯＭディスクと、例えば、ユーザ側において、ＲＯＭディスクに記録されている主情報信号やインターネットなどを通じて提供された主情報信号をコピーして利用する情報の書き換え可能なＲＡＭディスクとでは、これらの記録媒体に正規に記録された主情報信号に付加されているべき複製制御情報が異なるからである。
【００１７】
すなわち、いわゆる市販ＲＯＭディスクの場合、これに記憶されている主情報信号を違法な複製から守るためには、主情報信号には、通常は、「絶対複製禁止（Ｎｅｖｅｒ  Ｃｏｐｙ）」を示す電子透かし情報が付加されている。
【００１８】
これに対し、主にユーザ側において主情報信号が記録されて利用されるＲＡＭディスクの場合、通常の使用では、これに記録された主情報信号に、「絶対複製禁止（Ｎｅｖｅｒ  Ｃｏｐｙ）」や「１回複製可能（１世代だけ複製可能）（Ｏｎｅ  Ｃｏｐｙ）」を示す電子透かし情報が付加されていることはない。
【００１９】
つまり、「絶対複製禁止（Ｎｅｖｅｒ  Ｃｏｐｙ）」を示す電子透かし情報が付加された主情報信号が、ＲＡＭディスクに記録されていた場合には、例えば、ＲＯＭディスクの絶対複製禁止の主情報信号がＲＡＭディスクに違法にコピーされたことを意味する。
【００２０】
また、「１回複製可能（１世代だけ複製可能）（Ｏｎｅ  Ｃｏｐｙ）」を示す電子透かし情報が付加された主情報信号がＲＡＭディスクに記録される場合には、主情報信号に付加された電子透かし情報は、「これ以上の複製禁止（Ｎｏ  Ｍｏｒｅ  Ｃｏｐｙ）」に書き換えられ、この電子透かし情報が書き換えられた主情報信号がＲＡＭディスクに記録される。したがって、ＲＡＭディスクに「１回複製可能（１世代だけ複製可能）（Ｏｎｅ  Ｃｏｐｙ）」を示す電子透かし情報が付加された主情報信号が記録されることはなく、もし、あればそれは、主情報信号が違法に複製されたものと判断することができる。
【００２１】
さらに、正規にＲＯＭディスクに記録された主情報信号には、「絶対複製禁止（Ｎｅｖｅｒ  Ｃｏｐｙ）」を示す電子透かし情報が付加されていることはあっても、主情報信号がＲＯＭディスクに書き換えられることはないので、「これ以上の複製禁止（Ｎｏ  Ｍｏｒｅ  Ｃｏｐｙ）」を示す電子透かし情報が付加されていることはあり得ない。
【００２２】
なお、ＲＯＭディスクに記録される主情報信号についての付加情報として、「１回複製可能（１世代だけ複製可能）（Ｏｎｅ  Ｃｏｐｙ）」を用い、ＲＯＭディスクから主情報信号の１回の複製を許すことは、同じＲＯＭからなら常に主情報信号の複製が可能となる。これは、事実上、ＲＯＭディスクからの主情報信号の自由な複製が可能となり、このような状態で主情報信号が提供されることは、著作権保護の観点からするとあまりないと考えられる。しかし、ＲＯＭディスクに記録される情報信号についての付加情報として、「１回複製可能（１世代だけ複製可能）（Ｏｎｅ  Ｃｏｐｙ）」を用いることは禁止されていないので、このような状態があり得る場合もある。
【００２３】
このように、ＲＯＭディスクとＲＡＭディスクとでは、これに正規に記録された主情報信号に付加されているべき複製制御情報は異なっているので、図８に示すように、ＤＶＤなどのディスクに記録されている主情報信号に付加されている電子透かし情報などの複製制御情報に加えて、再生しようとする主情報信号が記録されたディスクの媒体種別情報（以下、メディアタイプ情報という）をも用いて、主情報信号の再生制御を行うようにするディスク再生装置が考えられる。以下に、考えられる、この種のディスク再生装置について説明する。
【００２４】
図８に示した情報信号再生装置（情報信号再生システム）１００は、ディスク再生装置１０１と、データ処理処置１０２と、これらを接続する伝送線１０３とからなる。この場合、ディスク再生装置１０１は、例えば、ＤＶＤなどのディスクから主情報信号を読み出すディスクドライブ装置であり、データ処理装置１０２は、ディスク再生装置１０１によってディスクから読み出された主情報信号に対し所定の処理を行って出力するようにするパーソナルコンピュータ本体に相当するものである。
【００２５】
ディスク再生装置１０１には、再生しようとする主情報信号が記録されたディスク３００が装填される。そして、読み出し部１０１により、ディスク３００のデータ領域に記録されている主情報信号と、ディスク３００のＴＯＣなどに記録されているメディアタイプ情報とが読み出される。そして、メディアタイプ情報は、伝送線１０３を通じて、データ処理装置１０２のメディアタイプデコード部１０５に供給され、主情報信号は、データ処理装置１０２の電子透かし情報検出部１０６と、スイッチ回路１０８に供給される。
【００２６】
メディアタイプデコード部１０５は、メディアタイプ情報をデコードし、ディスク再生装置１０１に装填されているディスク３００はＲＡＭディスクかＲＯＭディスクかを示す情報を出力制御部１０７に供給する。一方、電子透かし情報検出部１０６は、主情報信号から電子透かし情報として重畳されている複製制御情報を検出し、これを出力制御部１０７に供給する。
【００２７】
出力制御部１０７は、メディアタイプを示す情報と、複製制御情報とに基づいて、スイッチ回路１０８のオン／オフの制御を行う。つまり、出力制御部１０７は、前述もしたように、例えば、ディスク３００がＲＯＭディスクであり、複製制御情報が「これ以上の複製禁止」である場合、および、ディスク３００がＲＡＭであり、複製制御情報が「絶対複製禁止」あるいは「１回複製可能（１世代だけ複製可能）」である場合には、ディスク３００に記録されている主情報信号は、違法に複製されものと判断し、スイッチ１０８をオフにして、主情報信号を後段の装置に供給しないように制御する。これ以外の場合には、ディスク３００は正常に作成されたディスクであると判断し、スイッチ回路１０８をオンにするように制御する。
【００２８】
このように、情報信号再生装置１００は、再生しようとする主情報信号が記録されているディスクのメディアタイプ情報をも考慮することにより、違法にディスクに複製された主情報信号を再生しないようにすることができる。
【００２９】
ところが、ディスク再生装置１０１とデータ処理装置１０２との間において、ディスクのメディアタイプ情報が改ざんされた場合には、違法にディスクに複製された主情報信号が正常に再生されてしまい、違法に複製された主情報信号の利用が可能になる。この場合、違法コピーが繰り返されてしまうなどの問題が生じる。例えば、ＲＯＭディスクに記録されている主情報信号を違法にＲＡＭディスクにコピーしたために、通常の使用では発生することのない、ＲＡＭディスクでありながら、主情報信号に付加されている電子透かし情報が、「絶対複製禁止」となる場合がある。
【００３０】
このような場合には、図８に示したディスク再生装置によれば、適正に再生制御が行われ、違法に複製された主情報信号は再生されないはずであるが、図９に示すような不正再生装置２００が設けられた場合には、違法に複製された主情報信号を自由に再生し、利用することができてしまう。
【００３１】
図９において、メディアタイプ変更装置２０１は、ディスク再生装置１０１の読み出し部１０４によりディスクから読み出されたメディアタイプ情報を別のメディアタイプ情報に変更（改ざん）する装置である。つまり、メディアタイプ変更装置２０１は、読み出し部１０４によりディスクから読み出されたメディアタイプ情報が、ＲＡＭディスクを示すものであるときには、ＲＯＭディスクを示すメディアタイプ情報に変更し、ＲＯＭディスクを示すものであるときには、ＲＡＭディスクを示すメディアタイプ情報に変更する。そして、メディアタイプ変更装置２０１によって、変更されたメディアタイプ情報が、データ処理装置１０２のメディアタイプデコード部１０５に供給される。
【００３２】
この場合、例えば、ＲＯＭディスクに記録されて提供された、「絶対複製禁止」を示す電子透かし情報が付加された主情報信号や、インターネットを通じて提供を受けた、「絶対複製禁止」あるいは「１回複製可能（１世代だけ複製可能）」を示す電子透かし情報が付加された主情報信号が違法にＲＡＭディスクに複製された場合には、図９に示す不正再生装置を用いることによって、メディアタイプ情報はＲＡＭディスクを示す情報からＲＯＭディスクを示す情報に改ざんされるので、主情報信号の正常な再生が可能となる。したがって、違法にＲＡＭディスクに複製された主情報信号であっても、その主情報信号の利用が可能になり、当該違法に複製された主情報信号に係る著作権が害されることになる。
【００３３】
このことは、メディアタイプ情報に限らず、例えば、再生期限情報や、再生可能な装置を制限する情報などの著作権保護に関する情報が、ディスクから読み出された後に改ざんされた場合には、適正に主情報信号の再生制御が行えなくなる。この場合にも、違法に複製された主情報信号や、再生が制限されるはずの主情報信号が制限なく再生可能となり、著作権者の利益が大きく害されることになる。
【００３４】
この発明は、以上の点にかんがみ、違法に複製された主情報信号の再生を実質的に不能にすることにより、主情報信号に係る著作権の確実な保護、主情報信号の違法な複製を防止することができる装置および方法を提供することを目的とする。
【００３５】
【課題を解決するための手段】
上記課題を解決するため、請求項１に記載の発明の情報信号再生システムは、
主情報信号と少なくとも記録媒体の種別を示す媒体種別情報とが記録された記録媒体から、前記主情報信号と前記媒体種別情報とを読み出す情報信号読み出し装置と、前記情報信号読み出し装置から前記主情報信号と前記媒体種別情報の供給を受ける情報信号処理装置とからなり、
前記情報信号読み出し装置は、
前記記録媒体に記録されている前記媒体種別情報を読み出す読み出し手段と、
前記読み出し手段により読み出された前記媒体種別情報を暗号化する暗号化手段と、
前記暗号化手段により暗号化した前記媒体種別情報と、暗号化しない前記媒体種別情報とを前記情報信号処理装置に供給する手段と
を備え、
前記情報信号処理装置は、
前記情報信号読み出し装置からの暗号化された前記媒体種別情報の暗号解読を行う暗号解読手段と、
前記情報読み出し装置から暗号化されずに供給された前記媒体種別情報と、前記暗号解読手段により暗号解読された媒体種別情報とに基づいて、前記記録媒体の種別を検出する記録媒体種別検出手段と、
前記記録媒体種別検出手段において検出された前記記録媒体の種別に基づいて、前記主情報信号に応じた再生信号の出力を制御する制御手段とを備え、
前記記録媒体種別検出手段は、前記暗号化されずに供給された前記媒体種別情報と前記暗号解読された媒体種別情報が一致しない場合、前記制御手段に再生禁止情報を供給することを特徴とする。
【００３６】
この請求項１に記載の情報信号再生システムによれば、情報信号読み出し手段により、記録媒体に記録されている媒体種別情報が読み出される。媒体種別情報は、違法な複製業者の追跡調査や違法な複製行為の立証などを容易にしたり、違法に複製された情報信号を利用不能にしたりする場合に用いることができるものである。
【００３７】
この媒体種別情報は、暗号化手段により暗号化され、暗号化された媒体種別情報と、暗号化されない媒体種別情報とが情報信号処理装置に供給される。このように、情報信号処理装置には、暗号化された媒体種別情報と、暗号化されない媒体種別情報とが供給される。つまり、内容は同一であるが、伝送される情報の状態が異なる２つの媒体種別情報が情報信号処理装置に供給される。
【００３８】
暗号化された媒体種別情報は、情報信号処理装置の暗号解読手段により暗号解読される。そして、情報信号処理装置においては、情報信号読み出し装置から暗号化されずに提供された媒体種別情報と、暗号解読手段により暗号解読することにより得た媒体種別情報とに基づいて、制御手段により主情報信号に応じた再生信号の出力が制御される。
【００３９】
これにより、記録媒体から読み出された媒体種別情報と、改ざんすることが難しい暗号化された媒体種別情報とを用いることによって、両者が同じでないときには、違法に複製された情報信号を再生するために、媒体種別情報が改ざんされたと判断し、違法に複製された情報信号の再生を確実に防止することができるようにされる。
【００５３】
また、請求項３に記載の発明の情報信号再生システムは、
主情報信号と少なくとも記録媒体の種別を示す媒体種別情報とが記録された記録媒体から、前記主情報信号と前記媒体種別情報とを読み出す情報信号読み出し装置と、前記情報信号読み出し装置から前記主情報信号と前記媒体種別情報の供給を受ける情報信号処理装置とからなり、
前記情報信号読み出し装置は、
前記記録媒体に記録されている前記媒体種別情報を読み出す読み出し手段と、
前記読み出し手段により読み出された前記媒体種別情報を暗号化する暗号化手段と、
前記暗号化手段により暗号化した前記媒体種別情報と、暗号化しない前記媒体種別情報とを前記情報信号処理装置に供給する手段と、
前記情報信号処理装置からの読み出し制御情報に基づいて、前記記録媒体からの主情報信号の読み出し処理を制御する読み出し制御手段と
を備え、
前記情報信号処理装置は、
前記情報信号読み出し装置からの暗号化された前記媒体種別情報の暗号解読を行う暗号解読手段と、
前記情報読み出し装置から暗号化されずに供給された前記媒体種別情報と、前記暗号解読手段により暗号解読された媒体種別情報とに基づいて、前記記録媒体の種別を検出する記録媒体種別検出手段と、
前記記録媒体種別検出手段において検出された前記記録媒体の種別に基づいて、前記読み出し制御情報を生成して、前記情報信号読み出し装置に供給する読み出し制御情報生成手段と
を備え、
前記記録媒体種別検出手段は、前記暗号化されずに供給された媒体種別情報と前記暗号解読された媒体種別情報が一致しない場合、前記読み出し制御情報生成手段に再生禁止情報を供給することを特徴とする。
【００５４】
この請求項３に記載の発明の情報信号再生システムによれば、情報信号読み出し装置の情報信号読み出し手段により、媒体種別情報が読み出される。この媒体種別情報は、暗号化手段により暗号化される。そして、暗号化された媒体種別情報と、暗号化されない媒体種別情報とが情報信号処理装置に供給される。
【００５５】
情報信号処理装置においては、暗号解読手段により暗号化された媒体種別情報の暗号解読が行われ、この暗号解読された媒体種別情報と、情報信号読み出し装置から暗号化されずに提供された媒体種別情報とに基づいて、読み出し制御情報生成手段により読み出し制御情報が形成され、これが情報信号読み出し装置に供給される。
【００５６】
そして、情報信号読み出し装置においては、供給された読み出し制御情報に基づいて、読み出し制御手段により、記録媒体からの情報信号の読み出し処理が制御される。
【００５７】
これにより、媒体種別情報を改ざんすることにより行なわれる違法に複製された情報信号の再生を確実に防止することができるようにされる。この場合、記録媒体からの主情報信号の読み出し自体が制御されるので、確実に主情報信号の再生を制御することができるようにされる。
【００７６】
【発明の実施の形態】
以下、この発明による情報信号再生システム、情報信号読み出し装置、情報信号処理装置、情報信号再生方法、情報信号読み出し方法、情報信号処理方法の一実施の形態について、図を参照しながら説明する。
【００７７】
［情報信号再生システムの概要］
まず、以下に説明する実施の形態の情報信号再生システム（情報信号再生装置）の概要について説明する。以下に説明する実施の形態の情報信号再生システムは、ディスク記録媒体から情報信号を読み出す情報信号読み出し装置と、読み出された情報信号に対して所定の処理を施して出力するようにする情報信号処理装置とにより構成されるものである。
【００７８】
そして、ディスク記録媒体に記録されている例えば、画像情報などの主情報信号の再生に際し、再生しようとしている主情報信号が、違法に複製されたものか否かを判別し、違法に複製された主情報信号の再生を行わないようにすることによって、主情報信号に係る著作権を保護するとともに、主情報信号の違法な複製を防止することができるものである。
【００７９】
ここで、ディスク記録媒体に記録された主情報信号が違法に記録されたものか否かの判断は、再生しようとする主情報信号が記録されているディスク記録媒体に記録されている著作権保護に関する情報と、複製制御のために主情報信号に付加されている複製制御情報としての電子透かし情報とに基づいて行うようにするものである。
【００８０】
著作権保護に関する情報は、前述もしたように、違法な複製業者の追跡調査や違法な複製行為の立証などを容易にしたり、違法に複製された情報信号を利用不能にしたりする場合に用いることができる記録媒体に記録されている種々の情報である。以下に説明する実施の形態においては、著作権保護に関する情報として、複製制御情報との間で所定の関係を有するメディアタイプ情報（媒体種別情報）を用いる場合を例にして説明する。
【００８１】
すなわち、ディスク記録媒体には、コンテンツメーカなどにより主情報信号が正規に記録されて提供される書き換え不能な読み出し専用のＲＯＭディスクと、ユーザ側において、情報の書き換えが可能なＲＡＭディスクの２種類が存在し、いずれのディスクであるかは、そのディスクのＴＯＣやディレクトリに記録されているメディアタイプ情報により判別することができるようにされている。
【００８２】
そして、複製制御情報が、「複製可能（Ｃｏｐｙ  Ｆｒｅｅ）」である場合には、複製は制限されないので除外して考えると、前述もしたように、ＲＯＭディスクに記録されて提供される著作権を保護すべき情報信号には、「絶対複製禁止（Ｎｅｖｅｒ  Ｃｏｐｙ）」を示す複製制御情報が付加されて提供される。
【００８３】
また、インターネットや放送メディアを通じて提供される情報信号には、「絶対複製禁止（Ｎｅｖｅｒ  Ｃｏｐｙ）」あるいは「１回複製可能（１世代だけ複製可能）（Ｏｎｅ  Ｃｏｐｙ）」を示す複製制御情報が付加されて提供される。さらに、ＲＡＭディスクの場合には、これに記録された情報信号には、「これ以上の複製禁止（Ｎｏ  Ｍｏｒｅ  Ｃｏｐｙ）」を示す複製制御情報が付加されているはずである。
【００８４】
したがって、メディアタイプ情報と、主情報信号に付加されている複製制御情報との対応が、上述の対応以外の場合には、主情報信号は違法に複製されたものと判断し、当該主情報信号の利用を制限するようにすることができる。さらに、以下に説明する情報信号再生システムにおいては、メディアタイプ情報が改ざんされることにより違法に複製された主情報信号が再生されて利用されることをも防止することができるようにしたものである。
【００８５】
なお、以下の実施の形態において、ディスク記録媒体は、ＤＶＤである。また、ＤＶＤには、主情報信号として、映像信号（画像データ）、音声信号、プログラムなどの各種データなどを記録することができるものであるが、説明を簡単にするため、以下において、ＤＶＤに記録される主情報信号は、映像信号であるものとして説明する。また、以下においては、書き換え可能なＤＶＤはＲＡＭディスクと称し、書き換え不能な読み出し専用のＤＶＤはＲＯＭディスクと称することとする。
【００８６】
［情報信号のユーザへの提供について］
次に、複製制御情報が付加されたデジタル映像信号のユーザへの提供等について説明する。情報信号が正規に提供される経路は、コンテンツメーカなどにより作成されるＲＯＭディスクに記録されて提供される場合と、インターネットなどのネットワーク、あるいは、放送メディアなどを通じて提供される場合とがある。
【００８７】
いずれの場合にも、デジタル映像信号が違法に複製されて利用されてしまうこともあるので、デジタル映像信号には、複製制御情報が改ざんが困難な電子透かし情報として付加されるとともに、例えば、ＣＳＳ方式の暗号化処理（スクランブル処理）が施されて提供される。
【００８８】
なお、この実施の形態においては、ＰＮ（Ｐｓｅｕｄｏｒａｎｄｏｍ  Ｎｏｉｓｅ；擬似雑音符号）系列の符号（以下、ＰＮ符号という）を用いて、複製制御情報をスペクトラム拡散し、そのスペクトラム拡散した複製制御情報を電子透かし情報として、デジタル映像信号に重畳するようにしている。
【００８９】
まず、図６を用いて、主情報信号をＲＯＭディスクに記録して提供する場合について説明する。図６は、例えば、コンテンツメーカにより使用される主情報信号の記録装置であり、複製制御情報として電子透かし情報を付加するとともに、ＣＳＳ方式の暗号化処理を施したデジタル映像信号を記録した正規のＲＯＭディスクを作成するものである。
【００９０】
図６に示すように、ＲＯＭディスク４００に記録しようとするデジタル映像信号Ｓ５１は、入力端子５１を通じて加算回路５３に供給される。また、入力端子５２を通じて、デジタル映像信号Ｓ５１から分離された垂直同期信号ＶＤが、タイミング信号として、ＳＳ複製制御情報生成部５４のＰＮ符号発生部５４１、複製制御情報発生部５４２に供給される。
【００９１】
そして、ＰＮ符号発生部５４１は、垂直同期信号ＶＤに同期するクロック信号を用いて、例えば、Ｎ（Ｎは１以上の整数）フィールド毎に複製制御情報をスペクトラム拡散するために用いるＰＮ符号列をその先頭から発生させる。
【００９２】
また、複製制御情報発生部５４２は、ＰＮ符号発生部５４１と同様に、垂直同期信号ＶＤに同期するクロック信号を用いて、Ｎフィールド毎に映像信号に重畳するための複製制御情報列を発生させる。ＰＮ符号発生部５４１からのＰＮ符号列と、複製制御情報発生部５４２からの複製制御情報列は、乗算回路５４３に供給される。
【００９３】
すなわち、ＰＮ符号発生部５４１、複製制御情報発生部５４２は、例えば、１フィールド毎、１フレーム毎というように、垂直同期信号ＶＤに同期する同じタイミングで、同じ周期のクロック信号を用いて、ＰＮ符号列、複製制御情報列をその先頭から発生させて、それらを乗算回路５４３に供給する。
【００９４】
乗算回路５４３は、複製制御情報列をＰＮ符号列でスペクトラム拡散し、ＳＳ（ＳＳはスペクトラム拡散を示す。以下同じ）複製制御情報を形成し、これをレベル制御部５４４に供給する。レベル制御部５４４は、ＳＳ複製制御情報が重畳された映像信号がモニターに供給されて画像を表示したときに、重畳されているＳＳ複製制御情報がその画像を乱さないような微小レベルとなるようにＳＳ複製制御情報のレベルを調整する。そして、レベル調整されたＳＳ複製制御情報Ｓ５２は、加算回路５３に供給される。
【００９５】
加算回路５３は、デジタル映像信号Ｓ５１にＳＳ複製制御情報Ｓ５２を重畳し、ＳＳ複製制御情報Ｓ５２が重畳されたデジタル映像信号Ｓ５３を形成し、これをデータ圧縮処理部５５に供給する。データ圧縮処理部５５は、これに供給されたデジタル映像信号Ｓ５３を、ＭＰＥＧ方式でデータ圧縮し、データ圧縮したデジタル映像信号Ｓ５４を暗号化部５６に供給する。
【００９６】
この実施の形態において、暗号化部５６は、デジタル映像信号Ｓ５４が、複製を禁止、あるいは、複製の世代制限する信号である場合には、デジタル映像信号Ｓ５４に対してＣＳＳ方式の暗号化処理を施し、暗号化されたデジタル映像信号Ｓ５５を形成して、これを書き込み部５８に供給する。
【００９７】
また、書き込み部５８には、メディアタイプ情報発生部５７からメディアタイプ情報が供給される。このメディアタイプ情報は、前述もしたように、ディスク４００がＲＯＭディスクか、ＲＡＭディスクかを示す情報であり、書き込み部５８により、ディスク４００のＴＯＣやディレクトリなどのユーザによってはデータの書き込まれることのない領域などに記録される。この場合、ディスク４００は、ＲＯＭディスクであるので、ＲＯＭディスクあることを示すメディアタイプ情報が、ディスク４００に記録される。
【００９８】
また、書き込み部５８は、デジタル映像信号Ｓ２５が暗号化されたものであるときには、ＣＳＳ方式の暗号化処理で用いた暗号化キーなどの情報をディスク４００のユーザによっては読み出すことのできない領域に記録するとともに、デジタル映像信号Ｓ５５をディスク４００のデータ領域に記録する。
【００９９】
これにより、ＳＳ複製制御情報（電子透かし情報）が重畳されるとともに、複製を禁止、あるいは、複製の世代制限するデジタル映像信号の場合には、ＣＳＳ方式の暗号化処理が施されたデジタル映像信号が記録された、いわゆる市販用のＲＯＭディスクが作成される。
【０１００】
また、複製制御情報は、前述もしたように、複製可能（Ｃｏｐｙ  Ｆｒｅｅ）」、「１回複製可能（１世代だけ複製可能）（Ｏｎｅ  Ｃｏｐｙ）」、「これ以上の複製禁止（Ｎｏ  Ｍｏｒｅ  Ｃｏｐｙ）」、「絶対複製禁止（Ｎｅｖｅｒ  Ｃｏｐｙ）」のうちのいづれかを示す情報である。
【０１０１】
しかし、ディスク４００は、コンテンツメーカにより正規にデジタル映像信号が記録されて作成されるＲＯＭディスクであり、このディスク４００に記録されるデジタル映像信号には、当該デジタル映像信号を違法な複製から保護するために、「絶対複製禁止（Ｎｅｖｅｒ  Ｃｏｐｙ）」を示す複製制御情報が重畳される。
【０１０２】
この場合、複製制御情報は、スペクトラム拡散されて電子透かし情報としてデジタル映像信号に重畳されるので、デジタル映像信号を劣化せさることもなく、かつ、除去されたり、改ざんされることもない。また、電子透かし情報としてデジタル映像信号に重畳されている複製制御情報を、後述するデータ処理部や記録装置などにおいて確実に検出し、検出した複製制御情報に基づいて、再生制御や複製制御など、情報信号に対して行う処理を制御することができるようにされる。
【０１０３】
図７は、映像信号に重畳されるＳＳ複製制御情報と、映像信号との関係をスペクトルで示したものである。複製制御情報は、これに含まれる情報量は少なく、低ビットレートの信号であり、図７（ａ）に示されるように狭帯域の信号である。これにスペクトラム拡散を施すと、図７（ｂ）に示すような広帯域幅の信号となる。このときに、ＳＳ複製制御情報（スペクトラム拡散信号）のレベルは帯域の拡大比に反比例して小さくなる。
【０１０４】
このＳＳ複製制御情報を、前述したように加算回路５３において、デジタル映像信号Ｓ５１に重畳させるのであるが、この場合に、図７（ｃ）に示すように、映像信号のダイナミックレンジより小さいレベルで、ＳＳ複製制御情報を重畳させる。このように重畳することにより映像信号の劣化がほとんど生じないようにすることができる。したがって、ＳＳ複製制御情報が重畳された映像信号がモニター受像機に供給されて、映像が再生された場合に、ＳＳ複製制御情報の影響はほとんどなく、良好な再生映像が得られるものである。
【０１０５】
しかし、後述するように、重畳されたＳＳ複製制御情報を検出するために、スペクトラム逆拡散を行うと、図７（ｄ）に示すように、ＳＳ複製制御情報が再び狭帯域の信号として復元される。十分な帯域拡散率を与えることにより、逆拡散後の複製制御情報の電力が情報信号、この実施の形態においては映像信号を上回り、検出可能となる。
【０１０６】
この場合、映像信号に重畳されたＳＳ複製制御情報は、映像信号と同一時間、同一周波数内に重畳されるため、周波数フィルタや単純な情報の置き換えでは削除および修整が不可能である。
【０１０７】
したがって、必要なＳＳ複製制御情報を映像信号などの情報信号に重畳して記録することにより、映像信号に付随して、複製制御情報を確実に伝送することができる。しかも、上述の実施の形態のように、映像信号などの情報信号に比べて低い信号電力でスペクトラム拡散された複製制御情報を情報信号に重畳するようにした場合には、情報信号の劣化を最小にすることができる。
【０１０８】
したがって、ＳＳ複製制御情報などを映像信号などの情報信号に重畳した場合には、ＳＳ複製制御情報の改ざんや除去が上述のように困難であるので、違法な映像信号の複製などを困難にすることができる。
【０１０９】
なお、メディアタイプ情報は、図６に示した記録装置５０により、デジタル映像信号が記録されるディスク４００に記録するものとして説明した。しかし、メディアタイプ情報が記録されたディスクを製造しておくことにより、デジタル映像信号などの主情報信号を記録する記録装置によりメディアタイプ情報を記録しなくてもよいようにされる。
【０１１０】
また、例えば、インターネットや放送メディアを通じて、複製禁止、あるいは、複製の世代制限を行うデジタル映像信号をユーザに提供する場合にも、図６に示した記録装置の場合と同様に、デジタル映像信号に複製制御情報としての電子透かし情報を重畳し、ＭＰＥＧ方式でデータ圧縮を行った後に、ＣＳＳ方式の暗号化処理を施し、これがネットワークを通じてユーザに提供されることになる。
【０１１１】
そして、以下に説明する情報信号再生システムは、前述のようにして正規に作成されたＲＯＭディスクに記録されたデジタル映像信号や、インターネットや放送メディアを通じて提供されるデジタル映像信号が違法にＲＡＭディスクに複製され、これが図９を用いて前述したように、メディアタイプ情報を改ざんすることにより、再生されて利用されないようにすることができるものである。すなわち、ＲＡＭディスクなどに違法に複製されたデジタル映像信号の再生をできないようにすることにより、デジタル映像信号に係る著作権を保護し、情報信号の違法な複製を防止するようにすることができるものである。
【０１１２】
［第１の実施の形態］
図１は、この第１の実施の形態の情報信号再生システム（情報信号再生装置）１０を説明するためのブロック図である。この第１の実施の形態の情報信号再生システムは、ＤＶＤ用のディスクドライブ装置からなるディスク再生部１１と、パーソナルコンピュータ本体からなるデータ処理部１２とが、情報信号を送受するための伝送線（バス）１３により接続されて構成される。
【０１１３】
図１に示すように、ディスク再生部１１は、読み出し部１１１、メディアタイプ暗号化部１１２を備えている。また、データ処理部１２は、メディアタイプデコード部１２１、暗号解読部１２２、ＭＰＥＧデコード部１２３、電子透かし情報検出部１２４、出力制御部１２５、スイッチ回路１２６を備えている。
【０１１４】
ディスク再生部１１の読み出し部１１１は、ディスク再生部１１に装填されたディスクＤＫからこれに記録されているメディアタイプ情報Ｔｊとデジタル映像信号Ｖｉとを読み出す。このデジタル映像信号Ｖｉは、前述したように、複製制御情報が電子透かし情報として重畳されるとともに、ＭＰＥＧ方式でデータ圧縮され、さらにＣＳＳ方式の暗号化処理が施されているものである。この読み出されたメディアタイプ情報Ｔｊおよびデジタル映像信号Ｖｉは、伝送線１３を通じて、情報信号処理装置１２に供給される。
【０１１５】
また、読み出し部１１１により読み出されたメディアタイプ情報Ｔｊは、ディスク再生部１１内のメディアタイプ暗号化部１１２に供給され、この実施の形態においては、ここでＣＳＳ方式の暗号化処理が施されて、暗号化メディアタイプ情報ＳＴｊが形成される。そして、この暗号化メディアタイプ情報ＳＴｊも伝送線１３を通じて、データ処理部１２に供給される。
【０１１６】
そして、図１に示すように、デジタル映像信号Ｖｉと、暗号化メディアタイプ情報ＳＴｊとは、データ処理部１２の暗号解読部１２２に供給され、メディアタイプ情報Ｔｊは、メディアタイプデコード部１２１に供給される。
【０１１７】
暗号解読部１２２は、デジタル映像信号Ｖｉ、暗号化メディアタイプ情報ＳＴｊに施されている暗号化処理に対応するアルゴリズムにより、あるいは、対応する暗号化キーなどを用いて、暗号化されているデジタル映像信号Ｖｉ、暗号化メディアタイプ情報ＳＴｊの暗号解読処理を行って、暗号解読されたデジタル映像信号Ｖｍと、メディアタイプ情報Ｍｔとを出力する。ここで、正しいアルゴリズム、正しい暗号化キーにより暗号解読がされなければ、すなわち、正常に暗号解読がされなければ、正常な画像を再生することができなくなる。
【０１１８】
また、正常に暗号解読ができなかったときには、例えば、後述する出力制御部１２５を通じてスイッチ回路１２６をオフにして、映像信号を出力しないようにするなどのこともできる。
【０１１９】
そして、暗号解読部１２２において、正常に暗号解読されたデジタル映像信号Ｖｍは、ＭＰＥＧデコード部１２３に供給され、同様に暗号解読されたメディアタイプ情報Ｍｔは、メディアタイプデコード部１２１に供給される。
【０１２０】
ＭＰＥＧデコード部１２３は、ＭＰＥＧ方式でデータ圧縮されているデジタル映像信号Ｖｍを伸長処理して、圧縮前のデジタル映像信号Ｖを復元する。復元されたデジタル映像信号Ｖは、電子透かし情報検出部１２４と、スイッチ回路１２６の入力端に供給される。
【０１２１】
電子透かし情報検出部１２４は、供給されたデジタル映像信号に電子透かし情報として重畳されている複製制御情報を検出する。前述したように、デジタル映像信号の重畳されている電子透かし情報は、スペクトラム拡散されて形成されたものである。このため、電子透かし情報検出部１２４は、逆スペクトラム拡散を行うことによって、複製制御情報を検出するようにする。
【０１２２】
すなわち、この第１の実施の形態において、データ処理部１２の電子透かし情報検出部１２４は、図２に示すように、乗算回路２４１、同期検出部２４２、ＰＮ符号発生部２４３、符号判定部２４４とを備えたものである。そして、ＭＰＥＧデコード部１２３からのデジタル映像信号Ｖは、電子透かし情報検出部１２４の乗算回路２４１と、同期検出部２４２とに供給される。同期検出部２４２は、デジタル映像信号Ｖから垂直同期信号ＶＤを検出し、これをＰＮ符号発生部２４３に供給する。
【０１２３】
ＰＮ符号発生部２４３は、図６に示した記録装置５０において、スペクトラム拡散に用いるＰＮ符号列を発生させたときと同様に、垂直同期信号ＶＤに同期するタイミング毎に、垂直同期信号ＶＤに同期するクロック信号を用いてＰＮ符号列を発生させる。すなわち、デジタル映像信号に重畳されている電子透かし情報をスペクトル拡散したときと同じタイミングでＰＮ符号列を発生させ、これを乗算回路２４１に供給する。
【０１２４】
乗算回路２４１は、デジタル映像信号Ｖと、ＰＮ符号発生部２４３からのＰＮ符号列との乗算を行うことにより逆スペクトラム拡散を行って、デジタル映像信号Ｖに重畳されている複製制御情報列を検出し、これを符号判定部２４４に供給する。
【０１２５】
符号判定部２４４は、これに供給された複製制御情報列から、複製制御の内容を判定し、判定結果を出力制御部１２５に供給する。つまり、符号判定部２４４は、逆スペクトラム拡散により得られた複製制御情報列から、複製可能（Ｃｏｐｙ  Ｆｒｅｅ）」、「１回複製可能（１世代だけ複製可能）（Ｏｎｅ  Ｃｏｐｙ）」、「これ以上の複製禁止（Ｎｏ  Ｍｏｒｅ  Ｃｏｐｙ）」、「絶対複製禁止（Ｎｅｖｅｒ  Ｃｏｐｙ）」のうちのどの複製制御情報が重畳されているかを検出し、この検出結果を出力制御部１２５に供給する。
【０１２６】
一方、メディアタイプデコード部１２１は、ディスク再生部１１からのメディアタイプ情報Ｔｊと、暗号解読部１２２において暗号解読されたメディアタイプ情報Ｍｔとをデコードし、ディスク再生部１１に装填されているディスクＤＫが、ＲＯＭディスクであるか、あるいは、ＲＡＭディスクであるかについての情報を検出し、出力制御部１２５に供給する。このとき、メディアタイプ情報Ｔｊと暗号解読されたメディアタイプ情報Ｍｔとが異なっていたり、どちらかの情報がない場合などのときには、メディアタイプ情報は改ざんされていると判断して、出力制御部１２５に再生禁止情報を供給する。
【０１２７】
出力制御部１２５は、メディアタイプデコード部１２１から再生禁止情報が供給されたときには、スイッチ回路１２６をオフにして、ＭＰＥＧデコード部１２３によりＭＰＥＧデコードされた映像信号Ｖを出力しないようにする。また、出力制御部１２５は、メディアタイプデコード部１２１からの情報が再生禁止情報でなく、メディアタイプを示す情報であるときには、このメディアタイプを示す情報と、電子透かし情報検出部１２４により検出された複製制御情報とに基づいて、スイッチ回路１２６のオン／オフを制御する。
【０１２８】
すなわち、メディアタイプデコード部１２１からのメディアタイプを示す情報が、ＲＯＭディスクである場合には、電子透かし情報検出部１２４からの複製制御情報が、「絶対複製禁止（Ｎｅｖｅｒ  Ｃｏｐｙ）」であるときには、スイッチ回路１２６をオンにして、ＭＰＥＧデコード部１２３によりＭＰＥＧデコードされた映像信号Ｖを出力するようにする。
【０１２９】
なお、前述もしたように、著作権保護の観点からすると発生することは考えにくいが、ＲＯＭディスクに記録される映像信号に、「１回複製可能（１世代だけ複製可能）（Ｏｎｅ  Ｃｏｐｙ）」を示す複製制御情報が付加されて提供される場合もあり得るので、この場合にも、スイッチ回路１２６をオンにして、ＭＰＥＧデコード部１２３によりＭＰＥＧデコードされた映像信号Ｖを出力するように制御する。
【０１３０】
また、メディアタイプを示す情報が、ＲＯＭディスクであり、複製制御情報が「これ以上の複製禁止（Ｎｏ  Ｍｏｒｅ  Ｃｏｐｙ）」である場合、このような状態は、前述したように通常の使用では発生することはないので、スイッチ回路１２６をオフにし、ＭＰＥＧデコードされた映像信号Ｖを出力しないようにする。
【０１３１】
また、メディアタイプデコード部１２１からのメディアタイプを示す情報が、ＲＡＭディスクである場合には、電子透かし情報検出部１２４からの複製制御情報が、「これ以上の複製禁止（Ｎｏ  Ｍｏｒｅ  Ｃｏｐｙ）」であるときには、スイッチ回路１２６をオンにして、ＭＰＥＧデコード部１２３によりＭＰＥＧデコードされた映像信号Ｖを出力するようにする。
【０１３２】
また、メディアタイプを示す情報が、ＲＡＭディスクであり、複製制御情報が「絶対複製禁止（Ｎｅｖｅｒ  Ｃｏｐｙ）」または「１回複製可能（１世代だけ複製可能）（Ｏｎｅ  Ｃｏｐｙ）」である場合、このような状態は、前述したように通常の使用では発生することはないので、スイッチ回路１２６をオフにし、ＭＰＥＧデコードされた映像信号Ｖを出力しないようにする。
【０１３３】
このように、ディスク再生部１１からは、デジタル映像信号Ｖｉとメディアタイプ情報Ｔｊに加えて、暗号化メディアタイプ情報ＳＴｊが出力されてデータ処理部１２に供給される。暗号化メディアタイプ情報ＳＴｊは、暗号化されているので、簡単に改ざんすることはできない。したがって、メディアタイプ情報Ｔｊを改ざんしただけでは、暗号化メディアタイプ情報ＳＴｊと比較することにより、メディアタイプ情報Ｔｊが改ざんされたか否かを即座に判別することが可能となる。
【０１３４】
これにより、ＲＯＭディスクに記録されて提供された「絶対複製禁止（Ｎｅｖｅｒ  Ｃｏｐｙ）」を示す電子透かし情報が重畳されているデジタル映像信号を違法にＲＡＭディスクに複製し、メディアタイプ情報をＲＡＭディスクからＲＯＭディスクに変更することによって、当該違法に複製したデジタル映像信号を再生しようとしても、再生不能にすることができる。
【０１３５】
同様に、インターネットや放送メディアを通じて提供された「絶対複製禁止（Ｎｅｖｅｒ  Ｃｏｐｙ）」または「１回複製可能（１世代だけ複製可能）（Ｏｎｅ  Ｃｏｐｙ）」の電子透かし情報が重畳されているデジタル映像信号を違法にＲＡＭディスクに複製し、メディアタイプ情報をＲＡＭディスクからＲＯＭディスクに変更することによって、当該違法に複製したデジタル映像信号を再生しようとしても、再生不能にすることができる。
【０１３６】
したがって、違法に複製されたデジタル映像信号の利用を確実に防止することができる。さらに、メディアタイプ情報Ｔｊが改ざんされなかった場合でも、メディアタイプ情報とデジタル映像信号から検出された複製制御情報とに基づいて、違法に複製されたデジタル映像信号を再生しないようにすることができる。この場合、複製制御情報は、電子透かし情報としてデジタル映像信号に付加されているので、取り除かれたり改ざんされたりすることがないので、複製制御情報をも考慮したデジタル映像信号の再生制御を適正かつ確実に行うことができる。
【０１３７】
［第１の実施の形態の変形例］
前述の第１の実施の形態においては、ＲＯＭディスクに記録されて、あるいは、インターネットなどのネットワークを通じて提供されるデジタル映像信号には、図６を用いて前述したように、ＭＰＥＧエンコードする前のベースバンドのデジタル映像信号に対して、電子透かし処理による複製制御情報を重畳するようにした。
【０１３８】
しかし、デジタル映像信号をＭＰＥＧエンコードした後のエレメンタリストリームに対して電子透かし処理による複製制御情報が重畳される場合もある。このような場合には、ＭＰＥＧエンコードされた状態のデジタル映像信号から、これに重畳されている電子透かし情報としての複製制御情報を検出することができる。
【０１３９】
このような場合には、図３に示すように、情報信号再生システムを構成することができる。この場合、データ処理部２１の電子透かし情報検出部２１１が図１に示した電子透かし情報検出部１２４とは異なるものであるが、その他の各部分は、図１に示した対応する各部と同様に構成される。したがって、図３において、図１に示した情報信号再生システムと同様に構成される部分については同じ参照符号を付しその説明については省略する。
【０１４０】
そして、この例のデータ処理部２１の電子透かし情報検出部２１１は、ＭＰＥＧデコード前のＭＰＥＧエンコードされた状態のデジタル映像信号Ｖｍから電子透かし情報としての複製制御情報を検出する。すなわち、電子透かし情報検出部２１１は、ＭＰＥＧエンコードされた状態のデジタル映像信号に、複製可能（Ｃｏｐｙ  Ｆｒｅｅ）」、「１回複製可能（１世代だけ複製可能）（Ｏｎｅ  Ｃｏｐｙ）」、「これ以上の複製禁止（Ｎｏ  Ｍｏｒｅ  Ｃｏｐｙ）」、「絶対複製禁止（Ｎｅｖｅｒ  Ｃｏｐｙ）」のいずれを示す複製制御情報が重畳されているかを検出し、この検出結果を出力制御部１２５に供給する。
【０１４１】
これにより、デジタル映像信号をＭＰＥＧエンコードした後のエレメンタリストリームに対して電子透かし処理による複製制御情報が重畳された場合であっても、メディアタイプ情報Ｔｊと暗号化メディアタイプ情報ＳＴｊとによりデジタル映像信号の再生を制御することができるとともに、メディアタイプデコード部１２１からのメディアタイプを示す情報と、電子透かし情報検出部２１１により検出される複製制御情報とに基づいて、適正かつ正確にディスクＤＫに記録されているデジタル映像信号についての再生制御を行うことができる。
【０１４２】
なお、図３に示したようにＭＰＥＧデコード部１２３は、暗号解読部１２２とスイッチ回路１２６との間に設けたが、スイッチ回路１２６の後段にＭＰＥＧデコード部１２３を設けるようにしてもよい。この場合には、出力制御部１２５により、スイッチ回路１２６がオンにされた場合、すなわち、デジタル映像信号の再生が認められた場合にのみ、ＭＰＥＧデコード部にＭＰＥＧ圧縮されたデジタル映像信号が供給されることになる。
【０１４３】
したがって、この場合には、再生が許可されたデジタル映像信号だけがＭＰＥＧデコードされることになり、違法に複製された映像信号や、ディスク再生部とデータ処理部との間で、メディアタイプ情報が改ざんされた場合などにおいては、デジタル映像信号は、ＭＰＥＧデコードされることもないようにすることができる。
【０１４４】
［第２の実施の形態］
前述した第１の実施の形態の情報信号再生システムの場合には、暗号化されていないメディアタイプ情報、暗号化メディアタイプ情報、および、デジタル映像信号に重畳されている電子透かし情報に基づいて、データ処理部１２、２１からの映像信号の出力を制御するようにした。
【０１４５】
このため、前述したように、暗号化されていないメディアタイプ情報と、暗号化メディアタイプ情報と、電子透かし情報とに基づいて、ディスクに記録されているデジタル映像信号が違法に複製されたものであると判別された場合であっても、ディスクからのデジタル映像信号の読み出しは続行され、ディスク再生部１１からデータ処理部１２、２１へのデジタル映像信号などの伝送は続行されてしまう。
【０１４６】
そこで、この第２の実施の形態の情報信号再生システムは、再生して利用しようとするデジタル映像信号が違法に複製されたものであると判別された場合、あるいは、ディスク再生部からデータ処理部に供給されるメディアタイプ情報あるいは暗号化メディアタイプ情報が改ざんされたと判断した場合には、ディスクからのデジタル映像信号の読み出し自体を不能にし、デジタル映像信号の再生をできないようにするものである。
【０１４７】
図４は、この第２の実施の形態の情報信号再生システム３０を説明するためのブロック図である。この第２の実施の形態の情報信号再生システム３０は、前述した第１の実施の形態の情報信号再生システム１０の場合と同様に、ＤＶＤ用のディスクドライブ装置からなるディスク再生部３１と、パーソナルコンピュータ本体からなるデータ処理部３２とが、情報信号を送受するための伝送線（バス）３３により接続されて構成される。
【０１４８】
図４に示すように、ディスク再生部３１は、読み出し部３１１、メディアタイプ暗号化部３１２、制御情報暗号解読部３１３、読み出し制御部３１４を備えている。また、データ処理部３２は、メディアタイプデコード部３２１、暗号解読部３２２、ＭＰＥＧデコード部３２３、電子透かし情報検出部３２４、制御情報生成部３２５、制御情報暗号化部３２６を備えている。
【０１４９】
ここで、ディスク再生部３２の読み出し部３１１、メディアタイプ暗号化部３１２、および、データ処理部３２のメディアタイプデコード部３２１、暗号解読部３２２、ＭＰＥＧデコード部３２３、電子透かし情報検出部３２４は、前述した第１の実施の形態のディスク再生部１１、データ処理部１２の対応する各部と同様に構成されたものである。
【０１５０】
また、ディスク再生部３２に装填されるディスクＤＫは、前述した第１の実施の形態の場合と同様に、メディアタイプ情報がＴＯＣあるいはデレクトリに記録されているとともに、そのデータ領域には、複製制御情報が電子透かし情報として重畳されるとともに、ＭＰＥＧ方式でデータ圧縮され、さらにＣＳＳ方式の暗号化処理が施されたデジタル映像信号が記録されているものである。
【０１５１】
そして、ディスク再生部３１の読み出し部３１１は、ディスク再生部３１に装填されたディスクＤＫから、これに記録されているメディアタイプ情報Ｔｊとデジタル映像信号Ｖｉとを読み出し、伝送線３３を通じて、データ処理部３２に供給する。
【０１５２】
また、読み出し部３１１により読み出されたメディアタイプ情報Ｔｊは、ディスク再生部３１内のメディアタイプ暗号化部３１２に供給され、ここでＣＳＳ方式の暗号化処理が施され、暗号化メディアタイプ情報ＳＴｊとして、伝送線３３を通じて、データ処理部３２に供給される。
【０１５３】
そして、前述した第１の実施の形態の情報信号再生システムの場合と同様に、デジタル映像信号Ｖｉと、暗号化メディアタイプ情報ＳＴｊとは、データ処理部３２の暗号解読部３２２に供給され、メディアタイプ情報Ｔｊは、メディアタイプデコード部３２１に供給される。
【０１５４】
暗号解読部３２２は、デジタル映像信号Ｖｉ、暗号化メディアタイプ情報ＳＴｊに施されている暗号解読を行って、暗号解読されたデジタル映像信号Ｖｍと、暗号解読されたメディアタイプ情報Ｍｔとを形成する。そして、暗号解読されたデジタル映像信号ＶｍはＭＰＥＧデコード部３２３に供給され、暗号解読されたメディアタイプ情報Ｍｔはメディアタイプデコード部３２１に供給される。
【０１５５】
ＭＰＥＧデコード部３２３は、ＭＰＥＧ方式でデータ圧縮されているデジタル映像信号Ｖｍを伸長処理して、圧縮前のデジタル映像信号Ｖを復元し、復元した映像信号Ｖを出力するようにするとともに、電子透かし情報検出部３２４に供給する。
【０１５６】
電子透かし情報検出部３２４は、前述した第１の実施の形態の情報再生システムの電子透かし情報検出部１２４と同様に、供給されたデジタル映像信号に電子透かし情報として重畳されている複製制御情報を検出する。ここで検出される複製制御情報は、前述したように、複製可能（Ｃｏｐｙ  Ｆｒｅｅ）」、「１回複製可能（１世代だけ複製可能）（Ｏｎｅ  Ｃｏｐｙ）」、「これ以上の複製禁止（Ｎｏ  Ｍｏｒｅ  Ｃｏｐｙ）」、「絶対複製禁止（Ｎｅｖｅｒ  Ｃｏｐｙ）」のいずれかを示すものである。
【０１５７】
一方、メディアタイプデコード部３２１は、ディスク再生部３１からのメディアタイプ情報Ｔｊと、暗号解読部３２２からの暗号解読されたメディアタイプ情報Ｍｔとをデコードし、ディスク再生部３１に装填されているディスクＤＫが、ＲＯＭディスクであるか、あるいは、ＲＡＭディスクであるかについての情報を検出し、制御情報生成部３２５に供給する。
【０１５８】
このとき、メディアタイプ情報Ｔｊとメディアタイプ情報Ｍｔとが異なっていたり、どちらかの情報がない場合などのときには、メディアタイプ情報は改ざんされていると判断して、メディアタイプデコード３２１は、再生禁止情報を制御情報生成部３２５に供給する。
【０１５９】
制御情報生成部３２５は、メディアタイプデコード部３２１から再生禁止情報が供給されたときには、ディスク再生部３１においてのディスクＤＫからのデジタル映像信号の読み出し動作を停止させるための制御情報を生成し、これを制御情報暗号化部３２６に供給する。
【０１６０】
また、制御情報生成部３２５は、メディアタイプデコード部３２１からの情報が再生禁止情報でなく、メディアタイプを示す情報であるときには、このメディアタイプを示す情報と、電子透かし情報検出部３２４からの複製制御情報とに基づいて、ディスクＤＫに記録されているデジタル映像信号が違法に複製されたものか否かを判別し、違法に複製されたものでであると判別したときには、ディスク再生部３１においてのディスクＤＫからのデジタル映像信号の読み出し動作を停止させるための制御情報を生成し、これを制御情報暗号化部３２６に供給する。
【０１６１】
すなわち、制御情報生成部３２５は、メディアタイプデコード部３２１からのメディアタイプを示す情報がＲＯＭディスクであり、複製制御情報が「これ以上の複製禁止（Ｎｏ  Ｍｏｒｅ  Ｃｏｐｙ）」である場合、または、メディアタイプデコード部３２１からのメディアタイプを示す情報がＲＡＭディスクであり、複製制御情報が「絶対複製禁止（Ｎｅｖｅｒ  Ｃｏｐｙ）」あるいは「１回複製可能（１世代だけ複製可能）（Ｏｎｅ  Ｃｏｐｙ）」である場合には、ディスクＤＫからのデジタル映像信号の読み出し動作を停止させるための制御情報を生成し、これを制御情報暗号化部３２６に供給する。
【０１６２】
また、これ以外の場合、つまり、メディアタイプを示す情報が、ＲＯＭディスクであり、複製制御情報が、「絶対複製禁止（Ｎｅｖｅｒ  Ｃｏｐｙ）」あるいは「１回複製可能（１世代だけ複製可能）（Ｏｎｅ  Ｃｏｐｙ）」である場合、および、メディアタイプを示す情報が、ＲＡＭディスクであり、「これ以上の複製禁止（Ｎｏ  Ｍｏｒｅ  Ｃｏｐｙ）」である場合には、ディスク再生部３１においてのディスクＤＫからのデジタル映像信号などの読み出しを続行させるようにする。
【０１６３】
制御情報暗号化部３２６は、制御情報生成部３２５からの制御信号をＣＳＳ方式で暗号化し、これをバスを通じてディスク再生部３１の制御情報暗号解読部３１３に供給する。
【０１６４】
ディスク再生部３１の制御情報暗号解読部３１３は、データ処理部３２の制御情報暗号化部３２６においての暗号化のアルゴリズムと同じアルゴリズムを用いて、あるいは、対応する暗号化キーを用いて暗号解読処理を行い、暗号解読された制御情報を読み出し制御部３１４に供給する。また、制御情報暗号解読部３１３は、暗号化されて提供された制御情報の暗号解読が正常に行えなかったときには、暗号化されて提供された制御情報は、正常なものではないと判断し、読み出しを停止する制御情報を形成して、読み出し制御部３１４に供給する。
【０１６５】
読み出し制御部３１４は、制御情報暗号解読部３１３からの制御情報に基づいて、ディスクＤＫからのデジタル映像信号の読み出し動作を制御する。すなわち、データ処理部から暗号化されて提供された制御情報が、読み出しを停止させるための制御情報である場合には、読み出し制御部３１４は、例えば、読み出し部３１１や図示しないディスク駆動部を制御して、ディスクＤＫからのデジタル映像信号の読み出し動作を停止させる。
【０１６６】
また、前述したように、データ処理部３２から暗号化されて提供される制御情報が改ざんされるなどすることにより、制御情報暗号解読部３１３において正常に暗号解読されなかった場合にも、読み出しを停止する制御情報が読み出し制御部３１４に供給されるので、この場合にもディスクＤＫからのデジタル映像信号の読み出し動作は停止される。
【０１６７】
このように、データ処理部３２においては、ディスク再生部３１からの暗号化されていないメディアタイプ情報Ｔｊ、暗号化メディアタイプ情報ＳＴｊ、さらには、ディスクＤＫから読み出されたデジタル映像信号に重畳されている電子透かし情報をも考慮して、ディスクＤＫに記録されているデジタル映像信号は、違法に複製されたものか否かを確実かつ適正に判別することができる。
【０１６８】
そして、この判別結果に基づいて、ディスク再生部３１においてのディスクからのデジタル映像信号の読み出し動作自体を不能にするように制御することができるので、違法に複製されたデジタル映像信号の利用を確実に防止することができる。
【０１６９】
また、この第２の実施の形態の情報信号再生システム３０の場合には、ディスク再生部３１からデータ処理部３２には、ディスクＤＫから読み出したデジタル映像信号Ｖｉとメディアタイプ情報Ｔｊとの他に暗号化メディアタイプ情報ＳＴｊが供給され、データ処理部３２からディスク再生部３１には、暗号化された制御情報が供給される。
【０１７０】
したがって、この第２の情報信号再生システムにおいては、暗号化メディアタイプ情報、暗号化された制御情報のいづれをも暗号解読しなければならず、暗号化メディアタイプ情報、暗号化された制御情報のいづれか一方でも、改ざんされるなど、違法に複製されたデジタル映像信号の再生を行おうとするために攻撃を受けた場合には、ディスクからのデジタル映像信号の読み出し自体が不能にされるので、違法に複製されたデジタル映像信号の利用を確実に防止することができる。すなわち、情報信号再生システムにおいての違法に複製されたデジタル映像信号の利用を防止するための再生制御の信頼性を向上させることができる。
【０１７１】
また、この第２の実施の形態の情報信号再生システムにおいては、ディスクＤＫから読み出したデジタル映像信号をデータ処理部３２に提供するディスク再生部３１において、デジタル映像信号の再生出力の停止を行うので、より高いセキュリティで著作権保護のための再生制限を行うことができる。
【０１７２】
［第２の実施の形態の変形例］
また、前述もしたように、デジタル映像信号をＭＰＥＧエンコードした後のエレメンタリストリームに対して電子透かし処理による複製制御情報が重畳される場合もある。このような場合には、図５に示すように、情報信号再生システムを構成することによって、ディスク再生部３１側でのデジタル映像信号の再生制限を行うことができる。
【０１７３】
この場合には、データ処理部４１の電子透かし情報検出部４１１が図４に示した電子透かし情報検出部３２４とは異なるものであるが、その他の各部分は、図４に示した対応する各部と同様に構成される。したがって、図５において、図４に示した情報信号再生システムと同様に構成される部分については同じ参照符号を付しその説明については省略する。
【０１７４】
そして、この例のデータ処理部４１の電子透かし情報検出部４１１は、ＭＰＥＧデコード前のＭＰＥＧエンコードされた状態のデジタル映像信号から電子透かし情報としての複製制御情報を検出し、この検出結果を制御情報生成部３２５に供給する。
【０１７５】
これにより、デジタル映像信号をＭＰＥＧエンコードした後のエレメンタリストリームに対して電子透かし処理による複製制御情報が重畳された場合であっても、メディアタイプ情報Ｔｊと暗号化メディアタイプ情報ＳＴｊおよび電子透かし情報とに基づいて、ディスク再生部３１側において、デジタル映像信号の再生制御を行うことができる。
【０１７６】
また、この第２の実施の形態においては、ディスク再生部においての情報信号の読み出し処理を制御するようにしたが、ディスク再生部においての情報信号の読み出し処理を停止するように制御する場合には、同時にＭＰＥＧデコード部からの映像信号の出力を停止させるようにしてもよい。
【０１７７】
この場合には、ＭＰＥＧデコード部を直接制御するようにしてもよいし、前述した第１の実施の形態のようにスイッチ回路を設け、このスイッチ回路によりＭＰＥＧデコード部からの映像信号を外部に出力するか否かを切り換えるようにしてもよい。
【０１７８】
また、ディスク再生部においての読み出し処理を制御するための制御情報は、データ処理部において生成されるとともに、暗号化してディスク再生部に供給するようにしたが、暗号化せずにディスク再生部に供給するようにしてもよい。
【０１７９】
なお、前述した第１、第２のの実施の形態においては、著作権保護に関する情報として、メディアタイプ情報を用いた場合を例にして説明したが、これに限るものではない。例えば、著作権保護に関する情報として、主情報信号が記録される記録媒体に当該主情報信号の利用有効期限情報を付加しておき、この有効期限情報をディスク再生部からデータ処理部に供給し、有効期限後においては主情報信号を出力しないように制御することもできる。
【０１８０】
この場合、前述した実施の形態の場合と同様に、暗号化しない利用有効期限情報と、暗号化した利用有効期限情報をデータ処理部に供給するようにしておけば、両情報が一致しない場合に利用有効期限情報は改ざんされたと判断し、情報信号の出力を停止させることができる。
【０１８１】
この場合には、前述した実施の形態の場合のように、複製制御情報までも考慮することなく、暗号化された著作権保護に関する情報と、暗号化されない著作権保護に関する情報とに基づいて、主情報信号に対する処理を制御することにより、主情報信号の不正な使用を確実に防止することができる。
【０１８２】
したがって、暗号化された著作権保護に関する情報と、暗号化されない著作権保護に関する情報とに基づいて、主情報信号に対する処理を制御する装置を構成することにより、主情報信号の不正な使用を確実に防止することができる。もちろん、必要に応じて、前述した実施の形態のばあいのように複製制御情報などの情報をも考慮することにより、より確実に主情報信号の不正な使用を防止するようにすることができる。
【０１８３】
また、著作権保護に関する情報としては、前述したメディアタイプ情報、利用有効期限情報などの他、主情報信号の不正な利用のために改ざんされる可能性のある各種の情報を用いることができる。すなわち、著作権保護に関する情報として、複製制御情報として用いられるＣＧＭＳ情報や、デジタル映像信号などの主情報信号などのサブコード情報などを暗号化して、ディスク再生部からデータ処理部に供給するようにしてもよい。
【０１８４】
このようにした場合には、暗号化されずに提供されるサブコードやＣＧＭＳ情報と、暗号化されて提供されるサブコードやＣＧＭＳ情報とを比較することにより、主情報信号を違法に複製するなどの目的で、サブコードやＣＧＭＳ情報が改ざんされたか否かを判別することができ、この判別結果をも考慮して、主情報信号の再生制御を行うようにすることもできる。
【０１８５】
また、前述の実施の形態においては、複製制御情報をスペクトラム拡散することにより電子透かし情報を生成するようにしが、これに限るものではない。他の電子透かし処理により、複製制御情報から電子透かし情報を形成し、主情報信号に重畳するようにすることができる。そして、電子透かし情報の検出に当たっては、用いた電子透かし処理に応じて、検出するようにすればよい。
【０１８６】
また、複製を制御するための複製制御情報は、電子透かし情報に限るものではなくＣＧＭＳ情報など他の複製制御情報を用いてももちろんよい。
【０１８７】
また、前述の実施の形態において、メディアタイプ情報や、データ処理部からディスク再生部に供給される読み出し制御用の制御情報は、ＣＳＳ方式の暗号化処理が施されるものとして説明したが、これに限るものではなく、各種の暗号化方式を用いることができる。
【０１８８】
したがって、前述の第２の実施の形態において、ディスク再生部３１のメディアタイプ暗号化部３１２と、データ処理部３２、４２の制御情報暗号化部３２６においては、ともにＣＳＳ方式の暗号化を行うようにしてもよいし、全く異なるアルゴリズム、あるいは、異なる暗号化キーを用いて暗号化を行うようにしてもよい。メディアタイプ暗号化部３１２と、制御情報暗号化部３２６とで、異なる方式で暗号化した場合には、情報信号再生システムのセキュリティをさらに高くすることができる。
【０１８９】
また、前述した実施の形態においては、データ処理部１２、２１、３１、４１から出力された映像信号は、例えば、モニタ受像機や情報信号の記録装置などに提供されることになが、データ処理部１２、２１、３１、４１から出力される映像信号が、例えば、記録装置に供給されている場合には、違法に複製された情報信号は出力されることはないので、違法に複製された主情報信号のさらなる複製を防止することができる。すなわち、適正かつ確実に複製制御を行うことができる。また、データ処理部が記録装置の機能を備えている場合などにおいても、違法に複製された主情報信号の複製を行わないように、適正かつ確実に複製制御を行うことができる。
【０１９０】
また、前述した実施の形態においては、ＤＶＤに記録されたデジタル映像信号を再生する場合として説明したが、処理する情報が、映像信号に限るものではなく、音声信号や各種のプログラムやデータなどであってももちろんよい。例えば主情報信号がゲームプログラムなどの場合、前述した第１の実施の形態においては、そのゲームプログラムが違法に複製されたものであるときには、データ処理部において、そのプログラムを実行しないように制御することができる。
【０１９１】
このように、データ処理部においての処理の対象となる目的とする主情報信号に対して行う所定の処理の制御は、主情報信号の出力処理のほか、主情報信号の記録制御、実行制御など、主情報信号に対して行なわれる各種の処理を含むものである。
【０１９２】
また、前述の実施の形態においては、ディスク記録媒体は、ＤＶＤであるものとして説明したがこれに限るものではない。例えば、ＣＤ（コンパクトディスク）、ＭＤ（ミニディスク）などの各種の光ディスク、光磁気ディスクから情報信号を読み出して処理する装置にこの発明を適用することができる。
【０１９３】
また、前述したディスク再生部とデータ処理部とは、例えば、ＤＶＤの再生装置や記録再生装置のように１つの筐体に納められた１つの装置として提供される場合もあれば、前述したように、ディスク再生部は、ディスクドライバとして、データ処理部は、パーソナルコンピュータ本体として、それぞれ単体で提供される場合もある。そこで、図１〜図５を用いて前述した、ディスク再生部１１、３１の機能を備えたディスクドライバ（情報信号読み出し装置）を単独で提供するようにすることももちろんできる。
【０１９４】
同様に、図１〜図５を用いて前述した、データ処理部１２、２１、３１、４１の機能を備えた情報信号処理装置を単独で提供するようにすることももちろんできる。また、この情報処理装置が備えるべき機能を、例えば、パーソナルコンピュータ本体などに装填して使用されるいわゆるＰＣカードなどにより、ソフトウエアとして提供するようにすることもできるし、前述の情報処理装置が備えるべき機能を実現する回路部を搭載した増設ボードなどにより情報信号処理装置に機能追加するようにすることもできる。
【０１９５】
また、前述の実施の形態においては、この発明による情報信号再生システムをＤＶＤのディスクドライブと、パーソナルコンピュータとにより構成されるものとして説明したが、これに限るものではない。例えば、インターネットやデジタル衛生放送を伝送媒体としたシステムに適用してもよい。
【０１９６】
この場合には、主情報信号、メディアタイプ情報、暗号化メディアタイプ情報を提供するディスク再生部側が、サーバ装置となり、これらの情報提供を受けて出力するようにするデータ処理部側がクライアント装置となるシステムが構築される。このようにすることによって、インターネットやデジタル放送を伝送媒体とするシステムでは、情報信号の違法な複製に対してセキュリティを高くすることができる。
【０１９７】
【発明の効果】
以上説明したように、請求項１に記載の発明の情報信号再生システムによれば、記録媒体から読み出された媒体種別情報と、改ざんすることが難しい暗号化された媒体種別情報とを用いることによって、両者が同じでないときには、違法に複製された情報信号を再生するために、媒体種別情報が改ざんされたと判断し、違法に複製された情報信号の再生を確実に防止することができる。
【０２０２】
また、請求項３に記載の発明の情報信号再生システムによれば、媒体種別情報を改ざんすることにより行なわれる違法に複製された情報信号の再生を確実に防止することができる。この場合、記録媒体からの主情報信号の読み出し自体が制御されるので、確実に主情報信号の再生を制御することができる。
【図面の簡単な説明】
【図１】この発明による情報信号再生システムの一実施の形態を説明するためのブロック図である。
【図２】図１に示した情報信号再生システムの電子透かし情報検出装置を説明するためのブロック図である。
【図３】図１に示した情報信号再生システムの変形例を説明するためのブロック図である。
【図４】この発明による情報信号再生システムの他の例を説明するためのブロック図である。
【図５】図１に示した情報信号再生システムの変形例を説明するためのブロック図である。
【図６】正規に情報信号を記録したディスク記録媒体を作成する情報信号記録装置を説明するためのブロック図である。
【図７】情報信号とこれに重畳されるＳＳ複製制御情報（電子透かし情報）の関係を説明するための図である。
【図８】媒体属性情報をも考慮してディスクに記録されている主情報信号の再生を制御するようにする情報信号再生システムを説明するためのブロック図である。
【図９】媒体属性情報の改ざんが可能にされた情報信号再生システムを説明するためのブロック図である。
【符号の説明】
１１、３１…ディスク再生部、１２、３２…データ処理部、１３、３３…伝送線（バス）、１１１…読み出し部、１１２…メディアタイプ暗号化部、１２１…メディアタイプデコード部、１２２…暗号解読部、１２３…ＭＰＥＧデコード部、１２４、２１１…電子透かし情報検出部、１２５…出力制御部、１２６…スイッチ回路、３１１…読み出し部、３１２…メディアタイプ暗号化部、３１３…制御情報暗号解読部、３１４…読み出し制御部、３２１…メディアタイプデコード部、３２２…暗号解読部、３２３…ＭＰＥＧデコード部、３２４、４１１…電子透かし情報検出部、３２５…制御情報生成部、３２６…制御情報暗号化部
【図１】
0003975308.tif 000002
【図２】
0003975308.tif 000003
【図３】
0003975308.tif 000004
【図４】
0003975308.tif 000005
【図５】
0003975308.tif 000006
【図６】
0003975308.tif 000007
【図７】
0003975308.tif 000008
【図８】
0003975308.tif 000009
【図９】
0003975308.tif 000010